(57)【要約】  【課題】  使用者による煩雑な操作を必要とすることなく、簡便に複数の照明装置の照度または色温度を制御することが可能なトイレ空間の照明制御システムを提供することを目的とする。  【解決手段】  トイレ空間に設置される第１照明装置と、そのトイレ空間において、第１照明装置とは異なる位置に設置される第２照明装置と、トイレ空間内の使用者の操作を受け付ける操作装置と、その操作装置に対する使用者による操作に基づいて、第１照明装置および第２照明装置の照度または色温度を制御可能な制御装置と、を備え、制御装置は、操作装置に対する使用者による単一の操作に基づいて、第１照明装置および第２照明装置の照度または色温度を同時に変更可能であることを特徴とするトイレ空間の照明制御システム。【選択図】  図４
2020161274.tif 000002
【特許請求の範囲】
【請求項１】
トイレ空間に設置される第１照明装置と、
前記トイレ空間において、前記第１照明装置とは異なる位置に設置される第２照明装置と、
前記トイレ空間内の使用者の操作を受け付ける操作装置と、
前記操作装置に対する使用者による操作に基づいて、前記第１照明装置および前記第２照明装置の照度または色温度を制御可能な制御装置と、を備え、
前記制御装置は、前記操作装置に対する使用者による単一の操作に基づいて、前記第１照明装置および前記第２照明装置の照度または色温度を同時に変更可能であることを特徴とするトイレ空間の照明制御システム。
【請求項２】
前記制御装置が変更する前記第１照明装置および前記第２照明装置の照度または色温度の変更量が、前記第１照明装置と前記第２照明装置とで異なることを特徴とする請求項１に記載のトイレ空間の照明制御システム。
【請求項３】
前記トイレ空間の天井に設置される前記第１照明装置と、
前記第１照明装置よりも低い位置に設置される前記第２照明装置と、を備え、
前記制御装置が変更する前記第１照明装置および前記第２照明装置の照度または色温度の変更量が、前記第２照明装置よりも前記第１照明装置の方が小さいことを特徴とする請求項２に記載のトイレ空間の照明制御システム。
【請求項４】
前記制御装置が変更する前記第１照明装置および前記第２照明装置の照度または色温度の変更量は、前記操作装置に対して使用者が操作可能な範囲において段階的または連続的に設定されており、前記変更量は前記範囲において曲線または少なくとも２つ以上の傾きを有する直線によって定められることを特徴とする請求項１乃至３の何れか一項に記載のトイレ空間の照明制御システム。
【発明の詳細な説明】
【技術分野】
【０００１】
本発明は、トイレ空間の照明制御システムに関する。
【背景技術】
【０００２】
トイレ空間は排泄行為を行う空間である一方で、プライベートな空間であるため、使用者個々の好みに合わせた快適性が求められている。そこで、特許文献１では、トイレ室内の天井に配置された照明の照度や色調を任意に調節することが可能な照明コントロールボックスを用いることで、使用者の好みに合わせた快適なトイレ空間を演出することが記載されている。また、特許文献２には、天井からの単一の照明装置だけでは装飾的な雰囲気が出しづらいことから、スポット的に手元や足元を照らす照明や装飾用の照明を設け、それらの照度を使用者が任意に調節することで、トイレ空間の雰囲気を使用者の好みに合わせることが可能なトイレ空間照明装置が記載されている。
【先行技術文献】
【特許文献】
【０００３】
【特許文献１】特開平５−１６６５８６号公報
【特許文献２】特開２０１０−１８２６８０号公報
【発明の概要】
【発明が解決しようとする課題】
【０００４】
しかしながら、特許文献２に記載された照明装置のように、複数の照明装置に対して個別のスイッチが設けられている場合、煩雑な操作が求められるため使い勝手が良くないという課題が生じる。
【０００５】
本発明は、このような課題を解決するものであり、使用者による煩雑な操作を必要とすることなく、簡便に複数の照明装置の照度または色温度を制御することが可能なトイレ空間の照明制御システムを提供することを目的とする。
【課題を解決するための手段】
【０００６】
上記の課題を解決するために、本発明は、トイレ空間に設置される第１照明装置と、そのトイレ空間において、第１照明装置とは異なる位置に設置される第２照明装置と、トイレ空間内の使用者の操作を受け付ける操作装置と、その操作装置に対する使用者による操作に基づいて、第１照明装置および第２照明装置の照度または色温度を制御可能な制御装置と、を備え、制御装置は、操作装置に対する使用者による単一の操作に基づいて、第１照明装置および第２照明装置の照度または色温度を同時に変更可能であることを特徴とする
このように構成された本発明によれば、トイレ空間に設置される第１照明装置と、トイレ空間において、第１照明装置とは異なる位置に設置される第２照明装置の照度または色温度を、操作装置に対する使用者による単一の操作で同時に変更することを可能にした。
これによって、使用者による煩雑な操作を必要とすることなく、第１照明装置および第２照明装置からなる複数の照明装置の照度または色温度の変更を、操作装置に対する単一の操作によって簡便に制御することが可能なトイレ空間の照明制御システムを提供することができる。
ここで、本発明において「トイレ空間」とは、少なくとも１つの便器が設置された個室ブース（個室空間）を複数備えた共有トイレ空間も含むものとする。
【０００７】
本発明において、好ましくは、制御装置が変更する第１照明装置および第２照明装置の照度または色温度の変更量が、第１照明装置と第２照明装置とで異なる。
このように構成された本発明によれば、使用者がより細かく変更したい方の照明装置に対しては、使用者による単一の操作に基づいて制御装置が変更する照度または色温度の変更量を下げることが可能となる。これによって、使用者による煩雑な操作を必要とすることなく、より簡便に使用者の好みに合った雰囲気を演出することが可能となる。
【０００８】
本発明において、好ましくは、トイレ空間の天井に設置される第１照明装置と、その第１照明装置よりも低い位置に設置される第２照明装置と、を備え、制御装置が変更する第１照明装置および第２照明装置の照度または色温度の変更量が、第２照明装置よりも前記第１照明装置の方が小さい。
照明装置の照度または色温度が変更されることによって使用者が感じるトイレ空間の雰囲気の変化は、トイレ空間内全体に影響をもたらすように天井に設置されて光を照射する第１照明装置への依存度が高い。
このように構成された本発明によれば、トイレ空間の雰囲気の変化に強い影響を与える第１照明装置の照度または色温度の変更量を、第２照明装置の照度または色温度の変更量よりも小さくすることで、第２の照明装置と比較して第１照明装置を細かく制御することが可能となる。これによって、使用者による煩雑な操作を必要とすることなく、より簡便に使用者の好みに合った雰囲気を演出することが可能となる。
【０００９】
本発明において、好ましくは、制御装置が変更する第１照明装置および第２照明装置の照度または色温度の変更量は、操作装置に対して使用者が操作可能な範囲において、曲線または少なくとも２つ以上の異なる傾きを有する直線によって設定される。
第１照明装置および第２照明装置の照度または色温度を変更することによって、使用者の好みに応じてトイレ空間の雰囲気を変更可能である。ここで、一般的に心地よいと感じる領域は細かな調整を可能とし、一般的に人が心地よくないと感じる領域は粗い調整に留めることによって、本発明に係るトイレ空間の照明制御システムの使い勝手をさらに向上させることが可能となる。
このように構成された本発明によれば、第１照明装置および第２照明装置の照度または色温度の変更量が、操作装置に対して使用者が操作可能な範囲において、上述した心地よいと感じる領域は曲率が大きい緩やかな曲線あるいは小さい傾きを有する直線によって設定され、心地よくないと感じる領域は曲率が小さい急な曲線あるいは大きい傾きを有する直線によって設定されることによって、使用者による煩雑な操作を必要とすることなく、より簡便に使用者の好みに合った雰囲気を演出することが可能となる。
【発明の効果】
【００１０】
本発明のトイレ空間の照明制御システムによれば、使用者による煩雑な操作を必要とすることなく、簡便に複数の照明装置の照度または色温度を制御することが可能となる。
【図面の簡単な説明】
【００１１】
【図１】本発明の実施形態に係るトイレ空間の照明制御システムが設けられたトイレ空間の側面図である。
【図２】本発明の実施形態に係るトイレ空間の照明制御システムのブロック図でである。
【図３】本発明の実施形態に係るトイレ空間の照明制御システムによる複数の照明装置の照度を段階的に制御することを表した概念図である。
【図４】本発明の実施形態に係るトイレ空間の照明制御システムによる複数の照明装置の照度を連続的に制御することを表した概念図である。
【図５】本発明の第１実施例に係るトイレ空間の照明制御システムにおいて、トイレ空間内に設置され、使用者による操作を受け付ける操作装置の参考図である。
【図６】本発明の第２実施例に係るトイレ空間の照明制御システムにおいて、トイレ空間内に設置され、使用者による操作を受け付ける操作装置の参考図である。
【図７】本発明の第３実施例に係るトイレ空間の照明制御システムにおいて、トイレ空間内に設置され、使用者による操作を受け付ける操作装置の参考図である。
【発明を実施するための形態】
【００１２】
以下で説明する実施形態は、いずれも本開示の一実施形態を示すものである。以下の実施形態で示される構成要素、構成要素の配置位置及び接続形態、ステップ、ステップの順序などはあくまで一例であり、本発明を限定するものではない。また、以下の実施形態における構成要素のうち、本開示の最上位概念を示す独立請求項に記載されていない構成要素については、任意の構成要素として説明される。また、図面において同じ符号が付いたものは、説明を省略する場合がある。
【００１３】
図１は、本発明の実施形態に係るトイレ空間の照明制御システムが設けられたトイレ空間に設置された個室空間の側面図である。
【００１４】
図１に示すように、トイレ空間の照明制御システム１は、第１照明装置１００と、第２照明装置２００と、操作装置３００と、制御装置４００とを有する。なお、図１ではトイレ空間としてトイレの個室空間（個室ブース）を示すが、本発明のトイレ空間は個室空間に限定されない。
【００１５】
図１においては、第１照明装置１００は、便座３を有する大便器５が備えられたトイレ空間１０の天井７に設置され、第２照明装置２００は、第１照明装置１００よりも低い位置に設置される。第１照明装置１００及び第２照明装置２００は、照度または色温度を変更することが可能な照明であり、例えばLED（Light Emitting Diode）や蛍光灯、白熱電球、有機EL（Electro Luminescence）照明などを用いることができる。特に寿命の長いLEDが好ましく、異なる照度や色温度に調光可能な単一のLEDや、異なる照度または色温度を有する複数のLEDなどを用いることが好ましい。また、第１照明装置１００及び第２照明装置２００は、電球形状の照明機器に限られず、パネル形状や棒形状、あるいはボタン形状等の任意の形状で構成された照明機器を用いることができる。また、第１照明装置１００及び第２照明装置２００は、天井面に直接設置されるシーリングライト型の他、天井から吊り下げるペンダントライト型、所定箇所を強調して照らすスポットライト型、シャンデリア型、シーリングファンに設置されるシーリングファン型、スタンドライト型、天井面に埋め込まれるダウンライト型、壁面に取り付けるブラケットライト型等、トイレ空間１０の演出もあわせて自由に選択することができる。なお、トイレ空間１０における第１照明装置１００及び第２照明装置２００の配置位置は任意に変更可能である。また、第１照明装置１００及び第２照明装置２００は、トイレ空間１０にそれぞれ単数設置してもよいが、複数設置することにより、より効果的にトイレ空間を使用者の好みに合わせることが可能となる。
【００１６】
第２照明装置２００は、トイレ空間１０の床面９から第１照明装置１００までの高さａに対して、その高さ方向における半分の高さｂで仕切られたＡ−Ａ線よりも下方に設けられることが好ましい。これによって、第１照明装置１００による光が到達し難い領域に対して、効果的に第２照明装置２００による光を到達させることが可能となり、使用者の好みに合った雰囲気を演出することが可能となる。
【００１７】
また、第２照明装置２００は、トイレ空間１０に備えられた大便器５に設けられた便座３の中央であるB―B線よりも前方に向けられることが好ましい。これによって、便座３に着座した使用者の目線の先であるトイレ空間１０の前方領域に対して、効果的に第２照明装置２００による光を到達させることが可能となり、使用者の好みに合った雰囲気を演出することが可能となる。
【００１８】
操作装置３００は、トイレ空間１０内に設置され、使用者による操作を受け付ける装置である。操作装置３００は、使用者による第１照明装置１００及び第２照明装置２００の明るさを変更するため操作のみを受け付ける装置であってもよく、また、便座装置などのトイレ空間１０に設けられたその他の設備に対する操作も受け付けることが可能な装置であってもよい。操作装置３００の具体的な構成については、図４〜６を用いて後述する。
【００１９】
制御装置４００は、第１照明装置１００及び第２照明装置２００の照度または色温度を制御する装置である。制御装置４００は、操作装置３００に対する使用者による単一の操作に基づいて、制御信号を第１照明装置１００及び第２照明装置２００に送信する。
【００２０】
図２は、本発明の実施形態に係るトイレ空間の照明制御システムのブロック図である。
【００２１】
図２に示すように、制御装置４００には、第１照明装置１００及び第２照明装置２００の照度または色温度を変更する装置である。そのため、制御装置４００は、第１照明装置１００及び第２照明装置２００の照度または色温度を上昇もしくは低下するために予め設定された制御プログラムに従って各種演算処理を実行するCPU（Central Processing Unit）４１０と、CPU４１０で各種演算処理を実行するために必要な制御プログラムや制御データなどが予め格納されたROM（Read Only Memory）４２０と、同じくCPU４１０で各種演算処理を実行するのに必要な各種データが一時的に読み書きされるRAM（Random Access Memory）４３０と、操作装置３００から送信される使用者による操作に基づく信号を入力してCPU４１０の処理可能な信号に変換する入力処理回路４４０と、CPU４１０での演算結果に応じて第１照明装置１００及び第２照明装置２００に対して同時に信号を出力する出力処理回路４５０と、を備えている。
【００２２】
以下、図３及び図４を参照しつつ、本発明の実施形態に係るトイレ空間の照明制御システムによる複数の照明装置に対する制御について説明する。
図３は、本発明の実施形態に係るトイレ空間の照明制御システムによる複数の照明装置の照度を段階的に制御することを表した概念図である。
図４は、本発明の実施形態に係るトイレ空間の照明制御システムによる複数の照明装置の照度を連続的に制御することを表した概念図である。
【００２３】
図３に示すように、照明制御システム１が、第１照明装置１００及び第２照明装置２００の照度を段階的に変更する構成である場合、制御装置４００は、操作装置３００を介した使用者による入力情報に基づいて、Ｌ１、Ｌ２、Ｌ３、Ｌ４の４段階の内、いずれか１つの段階の照度を選択し、第１照明装置１００及び第２照明装置２００に対して同時に制御信号を送信する。
【００２４】
例えば、使用者が操作装置３００に対して、トイレ空間１０を現状よりも明るくする単一の操作を行った場合、制御装置４００は、現状の照度よりも１段階上の明るさとして定められている照度を選択し、第１照明装置１００及び第２照明装置２００に対して同時に制御信号を送信する。
【００２５】
つまり、現状の第１照明装置１００及び第２照明装置２００の照度がＬ１の段階であった場合、制御装置４００は、Ｌ１よりも１段階上の明るさとして定められているＬ２の照度を選択し、第１の照明装置１００及び第２照明装置２００に対して同時に制御信号を送信する。
【００２６】
また、図４に示すように、照明制御システム１が、第１照明装置１００及び第２照明装置２００の照度を連続的に変更する構成である場合、制御装置４００は操作装置３００を介した使用者による入力情報に基づいて、Ｌ１〜Ｌ４の範囲内で、いずれか１つの照度を選択し、第１照明装置１００及び第２照明装置２００に対して同時に制御信号を送信する。
【００２７】
例えば、使用者が操作装置３００に対して、トイレ空間１０を現状よりも明るくする単一の操作を行った場合、制御装置４００は使用者からの操作量に応じて、現状の照度よりも明るい照度を選択し、第１照明装置１００及び第２照明装置２００に対して同時に制御信号を送信する。
【００２８】
つまり、現状の第１照明装置１００及び第２照明装置２００の照度がＬ１であった場合、制御装置４００は、使用者からの操作量に基づいて、Ｌ１よりも明るく、且つＬ１〜Ｌ４の範囲内である、Ｌ１．８や、Ｌ２．３などの照度を選択し、第１照明装置１００及び第２照明装置２００に対して同時に制御信号を送信する。
【００２９】
上述したような、制御装置４００が変更する第１照明装置１００及び第２照明装置２００の照度の変更量は、図３に示すように、Ｌ１〜Ｌ４の範囲内で同一の傾きを有する直線によって設定される態様であっても構わないが、図４に示すように、Ｌ１〜Ｌ４の範囲内で２つ以上の異なる傾きを有する直線によって設定される態様であっても構わない。なお、図示はしていないが、第１照明装置１００及び第２照明装置２００の照度の変更量は、曲線によって設定される態様であっても構わない。
【００３０】
但し、Ｌ１〜Ｌ４の範囲内において、使用者の多くが微調整したくなる照度は、Ｌ１付近のかなり暗めな照度や、Ｌ４付近のかなり明るめな照度ではなく、Ｌ２やＬ３の付近である適度な明るさの照度である。ここで、図３に示すように、Ｌ１〜Ｌ４の範囲内における第１照明装置１００及び第２照明装置２００の照度の変更量が、常に同一の傾きによって設定されてしまうと、多くの使用者が微調整したいＬ２やＬ３の付近も、ほとんどの使用者が微調整しないＬ１やＬ４の付近も、同程度の調整のしやすさとなってしまう。
【００３１】
そのため、より多くの人が微調節したい領域における第１照明装置１００及び第２照明装置２００の照度の変更量を、多くの人が微調節しない領域における変更量に対して、小さくすることで、使用者が自分好みのトイレ空間１０をより簡単に演出しやすくすることが可能となる。
【００３２】
つまり、制御装置４００が変更する第１照明装置１００及び第２照明装置２００の照度の変更量は、操作装置３００に対して使用者が操作可能な範囲であるL１〜L４において、L２〜L３のような一般的に心地よいと感じる範囲は、曲率が大きい緩やかな曲線あるいは小さい傾きを有する直線によって設定され、L１〜L２およびL３〜L４のような一般的に心地よくないと感じる範囲は、曲率が小さい急な曲線あるいは大きい傾きを有する直線によって設定されることが好ましい。
【００３３】
また、第１照明装置１００の照度の変更量と第２照明装置２００の照度の変更量は、図３に示すように、第２照明装置２００の変更量よりも第１照明装置１００の変更量の方が小さい態様であっても構わないが、図４に示すように、第１照明装置１００の変更量と第２照明装置２００の変更量とが同一の態様であっても構わない。
【００３４】
但し、図１に示したように、第１照明装置１００が天井に設置されており、第２照明装置２００が第１照明装置１００よりも低い位置に設置されていた場合、第１照明装置１００及び第２照明装置２００の照度が変更されることによって使用者が感じるトイレ空間１０の雰囲気の変化は、トイレ空間１０内全体に影響をもたらすように天井に設置された第１照明装置１００への依存度が高い。
【００３５】
ここで、照度を変更することでトイレ空間１０の雰囲気の変化に大きな影響を与える第１照明装置１００の照度の変更量を第２照明装置２００の照度の変更量よりも小さくすることで、使用者が自分好みのトイレ空間１０をより簡単に演出しやすくすることが可能となる。
【００３６】
なお、図３及び図４は第１照明装置１００及び第２照明装置２００の照度を例に説明を行ったが、色温度に対しても同様である。
【実施例】
【００３７】
以下、図５〜図７を参照しつつ、本発明の実施例に係る個室空間内に設置され、使用者による操作を受け付ける操作装置について説明する。
図５は、本発明の第１実施例に係るトイレ空間の照明制御システムにおいて、トイレ空間内に設置され、使用者による操作を受け付ける操作装置の参考図である。図６は、本発明の第２実施例に係るトイレ空間の照明制御システムにおいて、トイレ空間内に設置され、使用者による操作を受け付ける操作装置の参考図である。図７は、本発明の第３実施例に係るトイレ空間の照明制御システムにおいて、トイレ空間内に設置され、使用者による操作を受け付ける操作装置の参考図である。
【００３８】
図５Ａおよび図５Ｂに示すように、本発明の第１実施例において、操作装置３００は、使用者による接触に基づいて、所定の範囲内で段階的に定められた、第１照明装置１００及び第２照明装置２００の照度または色温度に関する情報（以下、入力情報と称する）を制御装置４００に送信する態様を備える。
【００３９】
図５Ａは、ボタン式と称されるものであり、使用者による「制御モードの選択（明るさの選択）」という単一の操作、又は使用者による「上昇または下降の選択」という単一の操作に応じて、段階的に定められた入力情報を制御装置４００に送信する。
図５Ｂは、座標式と称されるものであり、使用者による「座標位置の選択」という単一の操作に応じて、座標ごとに段階的に定められた入力情報を制御装置４００に送信する。
【００４０】
図５Ａおよび図５Ｂに示した、ボタン式および座標式の態様によれば、操作装置３００は、所定の範囲内で段階的に定められた入力情報を制御装置４００に送信するため、第１照明装置１００及び第２照明装置２００によって演出されるトイレ空間１０の雰囲気が、一般的に人が心地よくないと感じる領域から外れることが無い。これによって、一般的に人が心地よいと感じる領域内で、使用者の好みに合った雰囲気を演出することが可能となる。
【００４１】
図６Ａおよび図６Ｂに示すように、本発明の第２実施例において、操作装置３００は、所定の範囲内で連続的に定められた入力情報を、使用者が直感的に選択することが可能な態様を備える。
【００４２】
図６Ａは、ダイヤル式と称されるものであり、使用者による「ダイヤルの回転」という単一の操作に伴うダイヤルの回転量に応じて、連続的に定められた入力情報を制御装置４００に送信する。また、図示はしないがローラー式もこれと同様である。
図６Ｂは、スライド式と称されるものであり、使用者による「スライドバーの移動」という単一の操作に伴うスライドバーの移動量に応じて、連続的に定められた入力情報を制御装置４００に送信する。
【００４３】
図６Ａおよび図６Ｂに示した、ダイヤル式およびスライド式の態様によれば、操作装置３００は、所定の範囲内で連続的に定められた入力情報を直感的に選択することが可能であるため、段階的に定められた入力情報を選択する必要がある第１実施例と比較して、より簡便に入力情報を選択することができる。また、選択可能な入力情報が段階的に定められていないため、一般的には人が心地よいと感じる領域だけでなく、一般的には人が心地よくないと感じない領域を含めたより広い領域で、より細かく使用者の好みに合った雰囲気を演出することが可能となる。
【００４４】
図７に示すように、本発明の第３実施例において、操作装置３００は、予め記憶されたジェスチャーに対応する入力情報を、使用者の接触を必要とすることなく選択することが可能な態様を備える。
【００４５】
図７は、ジェスチャー式と称されるものであり、使用者による「ジェスチャー動作」という単一の操作に応じて、予め記憶されたジェスチャー動作に対応する入力情報を制御装置４００に送信する。
【００４６】
図７に示した、ジェスチャー式の態様によれば、操作装置３００は、非接触で使用者による単一の操作を受け付ける。これにより、トイレ空間内の設備に触れたくない使用者が衛生面を気にすることなく本発明に係るトイレ空間の照明制御システムを使用することが可能となる。また、本態様によれば、予め記憶されたジェスチャー動作に対応する入力情報を制御装置４００に送信するため、家庭などの特定された異なる複数の使用者が利用するトイレ空間であれば、一度使用者の好みに合わせた入力情報を記憶させてしまえば、前の使用者がいかなる状態に調光していようとも、単一の操作で確実に使用者の好みに合った雰囲気を演出することが可能となる。
【００４７】
また、図示しないが第４実施例として、単一の操作として音声により操作指示を入力することができる操作装置３００を用いることができる。上述したジェスチャー入力と同様に、非接触で使用者の単一の操作が可能であるため衛生面で有益であり、家庭等の使用者が特定される使用環境下においては、入力情報の記憶により、単一の操作により使用者の好みを再現することができる。
【００４８】
この場合、操作装置３００は音声を入力するためのマイクを備え、入力処理回路４４０を介して入力された音声情報を制御装置４００内で音声認識する。音声認識は例えばROM４２０に格納された辞書を参照し、認識した単語、フレーズに応じて、制御装置４００は、その単語やフレーズにあらかじめ割り当てられた第１照明装置と第２照明装置の照度または色温度に変更する。例えば使用者による「明るく」との発声に応じて段階的に第１照明装置及び第２照明装置の照度を上昇させ、「暗く」との発声に応じて段階的に第１照明装置及び第２照明装置の照度を低下させることができる。また使用者による発声の大きさや長さに応じて、照度や色温度の変更量を調整できるようにしてもよい。
【符号の説明】
【００４９】
１・・・照明制御システム
３・・・便座
５・・・大便器
７・・・天井
９・・・床面
１０・・・トイレ空間
１００・・・第１照明装置
２００・・・第２照明装置
３００・・・操作装置
４００・・・制御装置
４１０・・・ＣＰＵ
４２０・・・ＲＯＭ
４３０・・・ＲＡＭ
４４０・・・入力処理回路
４５０・・・出力処理回路
【図１】
2020161274.tif 000003
【図２】
2020161274.tif 000004
【図３】
2020161274.tif 000005
【図４】
2020161274.tif 000006
【図５】
2020161274.tif 000007
【図６】
2020161274.tif 000008
【図７】
2020161274.tif 000009